(57)【特許請求の範囲】
【請求項１】
履物側となる裏面が平坦に形成され、且つ、接地側となる表面の爪先側の部分（１５）における踏み返し部分（１３）と母趾受圧部（１７）とをエンボス加工処理を施して連接して形成された靴底であって、
前記踏み返し部分（１３）は、
中足趾節関節部分（Ｆａ）の足の内側端部からその中足趾節関節部分（Ｆａ）の足の外側端部に亘って、前記中足趾節関節部分（Ｆａ）を受圧可能とするような厚い帯状領域で形成し、且つ、該帯状領域のうちで前記足の外側端部の幅が前記足の内側端部の幅よりも第５中足骨側の部分を踵側に幅広く形成し、
前記爪先側の部分（１５）に含まれる前記母趾受圧部（１７）は、
前記爪先側の部分（１５）の中央付近の点と該爪先側の部分（１５）の中央付近の点に略下方に対向する当該爪先側の部分（１５）の足の内側の第１の内側端点とを結ぶ第１の前辺と、
前記爪先側の部分（１５）の中央付近の点から前記踏み返し部分（１３）である前記帯状領域の前辺である第２の前辺の中央付近の点を通る直線上の前記爪先側の部分（１５）の中央付近の点と前記帯状領域の前記第２の前辺の中央付近の点とを結ぶ辺である第１の縦辺と、
前記第２の前辺の中央付近の点と該第２の前辺の当該爪先側の部分（１５）の足の内側の第２の内側端点との間の辺である第３の前辺と、
前記直線上の前記爪先側の部分（１５）の中央付近の点に前記略下方に対向する当該爪先側の部分（１５）の足の内側の前記第１の内側端点と前記第３の前辺の足の内側の前記第２の内側端点とを結ぶ当該爪先側の部分（１５）の足の内側の辺の一部である第２の縦辺と
で形成されて、
前記踏み返し部分（１３）に連接された四角領域であり、該四角領域には点々状の前記エンボス加工処理が施され、
さらに、前記爪先側の部分（１５）は、爪先側に向って前記踏み返し部分よりも厚みが徐々に薄くなるように形成されていることを特徴とする靴底。
【請求項２】
前記帯状領域の前記第２の前辺は、
この第２の前辺の足の外側の第１の外側端点が足の内側の前記第２の内側端点よりも前記足の爪先側に位置するように斜めに傾斜した略直線状に形成され、
一方、前記第２の前辺と間隔を離して対向する前記帯状領域の後辺は、この後辺の足の外側の第２の外側端点と前記後辺の足の内側の第３の内側端点との間が、前記第２の前辺に向かって凹状にくぼんだ弓形曲線状に形成されていることを特徴とする請求項１に記載の靴底。
【請求項３】
履物側となる裏面が平坦に形成され、且つ、接地側となる表面の爪先側の部分（１５）における踏み返し部分（１３）と母趾受圧部（１７）とをエンボス加工処理を施して連接して形成された靴底を具備した履物であって、
前記踏み返し部分（１３）は、
中足趾節関節部分（Ｆａ）の足の内側端部からその中足趾節関節部分（Ｆａ）の足の外側端部に亘って、前記中足趾節関節部分（Ｆａ）を受圧可能とするような厚い帯状領域で形成し、且つ、該帯状領域のうちで前記足の外側端部の幅が前記足の内側端部の幅よりも第５中足骨側の部分を踵側に幅広く形成し、
前記爪先側の部分（１５）に含まれる前記母趾受圧部（１７）は、
前記爪先側の部分（１５）の中央付近の点と該爪先側の部分（１５）の中央付近の点に略下方に対向する当該爪先側の部分（１５）の足の内側の第１の内側端点とを結ぶ第１の前辺と、
前記爪先側の部分（１５）の中央付近の点から前記踏み返し部分（１３）である前記帯状領域の前辺である第２の前辺の中央付近の点を通る直線上の前記爪先側の部分（１５）の中央付近の点と前記帯状領域の前記第２の前辺の中央付近の点とを結ぶ辺である第１の縦辺と、
前記第２の前辺の中央付近の点と該第２の前辺の当該爪先側の部分（１５）の足の内側の第２の内側端点との間の辺である第３の前辺と、
前記直線上の前記爪先側の部分（１５）の中央付近の点に前記略下方に対向する当該爪先側の部分（１５）の足の内側の前記第１の内側端点と前記第３の前辺の足の内側の前記第２の内側端点とを結ぶ当該爪先側の部分（１５）の足の内側の辺の一部である第２の縦辺と
で形成されて、
前記踏み返し部分（１３）に連接された四角領域であり、該四角領域には点々状の前記エンボス加工処理が施され、
さらに、前記爪先側の部分（１５）は、爪先側に向って前記踏み返し部分よりも厚みが徐々に薄くなるように形成されていることを特徴とする履物。
【請求項４】
前記帯状領域の前記第２の前辺は、
この第２の前辺の足の外側の第１の外側端点が足の内側の前記第２の内側端点よりも前記足の爪先側に位置するように斜めに傾斜した略直線状に形成され、
一方、前記第２の前辺と間隔を離して対向する前記帯状領域の後辺は、この後辺の足の外側の第２の外側端点と前記後辺の足の内側の第３の内側端点との間が、前記第２の前辺に向かって凹状にくぼんだ弓形曲線状に形成されていることを特徴とする請求項３に記載の履物。
【請求項５】
既製の履物の靴底に後つけ可能なバッドであって、
前記パッドは、履物側となる裏面が平坦に形成され、且つ、接地側となる表面の爪先側の部分（１５）における踏み返し部分（１３）と母趾受圧部（１７）とをエンボス加工処理を施して連接して形成され、
前記踏み返し部分（１３）は、
中足趾節関節部分（Ｆａ）の足の内側端部からその中足趾節関節部分（Ｆａ）の足の外側端部に亘って、前記中足趾節関節部分（Ｆａ）を受圧可能とするような厚い帯状領域で形成し、且つ、該帯状領域のうちで前記足の外側端部の幅が前記足の内側端部の幅よりも第５中足骨側の部分を踵側に幅広く形成し、
前記爪先側の部分（１５）に含まれる前記母趾受圧部（１７）は、
前記爪先側の部分（１５）の中央付近の点と該爪先側の部分（１５）の中央付近の点に略下方に対向する当該爪先側の部分（１５）の足の内側の第１の内側端点とを結ぶ第１の前辺と、
前記爪先側の部分（１５）の中央付近の点から前記踏み返し部分（１３）である前記帯状領域の前辺である第２の前辺の中央付近の点を通る直線上の前記爪先側の部分（１５）の中央付近の点と前記帯状領域の前記第２の前辺の中央付近の点とを結ぶ辺である第１の縦辺と、
前記第２の前辺の中央付近の点と該第２の前辺の当該爪先側の部分（１５）の足の内側の第２の内側端点との間の辺である第３の前辺と、
前記直線上の前記爪先側の部分（１５）の中央付近の点に前記略下方に対向する当該爪先側の部分（１５）の足の内側の前記第１の内側端点と前記第３の前辺の足の内側の前記第２の内側端点とを結ぶ当該爪先側の部分（１５）の足の内側の辺の一部である第２の縦辺と
で形成されて、
前記踏み返し部分（１３）に連接された四角領域であり、該四角領域には点々状の前記エンボス加工処理が施され、
さらに、前記爪先側の部分（１５）は、爪先側に向って前記踏み返し部分よりも厚みが徐々に薄くなるように形成されていることを特徴とするパッド。
【請求項６】
前記帯状領域の前記第２の前辺は、
この第２の前辺の足の外側の第１の外側端点が足の内側の前記第２の内側端点よりも前記足の爪先側に位置するように斜めに傾斜した略直線状に形成され、
一方、前記第２の前辺と間隔を離して対向する前記帯状領域の後辺は、この後辺の足の外側の第２の外側端点と前記後辺の足の内側の第３の内側端点との間が、前記第２の前辺に向かって凹状にくぼんだ弓形曲線状に形成されていることを特徴とする請求項５に記載のパッド。
【発明の詳細な説明】
【技術分野】
【０００１】
本発明は、例えば婦人用パンプス靴、紳士靴等の履物、履物に用いられる靴底、及び既製の履物における靴底に後付け可能なパッドに関する。
【背景技術】
【０００２】
例えば婦人用パンプス靴、紳士靴等の履物には、靴底が用いられており（特許文献１から特許文献３参照）、この靴底は、全体に亘って略同じ厚さになっている。また、一般に、スムーズな歩行を確保するためには、靴底の踏み返し部分の屈曲性を高めることが必要である。
【特許文献１】特開２００２−２８２０１２号公報
【特許文献２】特開２００５−１１１０７２号公報
【特許文献３】特開２００３−２１０２０７号公報
【発明の開示】
【発明が解決しようとする課題】
【０００３】
しかしながら、外反母趾、関節リウマチ等の変形疾患を有する人にとっては、靴底の踏み返し部分の屈曲性を高めると、中足趾節関節の背屈角度が大きくなって、歩行に伴う疼痛が増大するという問題がある。
【０００４】
そこで、本発明は、前述の問題を解決するため、踏み返し部分の剛性を高めつつ、転がり性及び歩行運動エネルギー効率を高めることができる新規な構成の靴底、新規な構成の靴底を具備した履物、及び新規な構成の靴底と主要部を共通にする新規な構成のパッドを提供することを目的とする。
【課題を解決するための手段】
【０００５】
上記目的を達成するために、請求項１に記載の発明は、
履物側となる裏面が平坦に形成され、且つ、接地側となる表面の爪先側の部分（１５）における踏み返し部分（１３）と母趾受圧部（１７）とをエンボス加工処理を施して連接して形成された靴底であって、
前記踏み返し部分（１３）は、
中足趾節関節部分（Ｆａ）の足の内側端部からその中足趾節関節部分（Ｆａ）の足の外側端部に亘って、前記中足趾節関節部分（Ｆａ）を受圧可能とするような厚い帯状領域で形成し、且つ、該帯状領域のうちで前記足の外側端部の幅が前記足の内側端部の幅よりも第５中足骨側の部分を踵側に幅広く形成し、
前記爪先側の部分（１５）に含まれる前記母趾受圧部（１７）は、
前記爪先側の部分（１５）の中央付近の点と該爪先側の部分（１５）の中央付近の点に略下方に対向する当該爪先側の部分（１５）の足の内側の第１の内側端点とを結ぶ第１の前辺と、
前記爪先側の部分（１５）の中央付近の点から前記踏み返し部分（１３）である前記帯状領域の前辺である第２の前辺の中央付近の点を通る直線上の前記爪先側の部分（１５）の中央付近の点と前記帯状領域の前記第２の前辺の中央付近の点とを結ぶ辺である第１の縦辺と、
前記第２の前辺の中央付近の点と該第２の前辺の当該爪先側の部分（１５）の足の内側の第２の内側端点との間の辺である第３の前辺と、
前記直線上の前記爪先側の部分（１５）の中央付近の点に前記略下方に対向する当該爪先側の部分（１５）の足の内側の前記第１の内側端点と前記第３の前辺の足の内側の前記第２の内側端点とを結ぶ当該爪先側の部分（１５）の足の内側の辺の一部である第２の縦辺と
で形成されて、
前記踏み返し部分（１３）に連接された四角領域であり、該四角領域には点々状の前記エンボス加工処理が施され、
さらに、前記爪先側の部分（１５）は、爪先側に向って前記踏み返し部分よりも厚みが徐々に薄くなるように形成されていることを特徴とする靴底である。
【０００６】
請求項１に記載の発明の特徴によると、踏み返し部分は、中足趾節関節部分の足の内側端から足の外側端に亘って該中足趾節関節部分を受圧可能とするような厚い帯状領域を形成しているため、前記靴底の前記踏み返し部分の剛性を高めつつ、トゥスプリングを設定して、前記靴底の転がり性を高めることができる。
【０００７】
また、請求項１に記載の発明の特徴によると、爪先側の部分は、爪先側に向かって踏み返し部分よりも厚みが徐々に薄くなるように形成されているため、歩行サイクル中の立脚期における足の荷重中心点軌跡は、踵部から足外側部上を足裏縦方向に延び、続いて足外側部から母趾部の先端に向かって延びるようになる。これにより、歩行サイクル中の立脚期における荷重中心点軌跡の軌跡長を短くして、歩行運動エネルギー効率を高めることができる。
【０００８】
また、請求項１に記載の発明の特徴によると、踏み返し部分及び爪先側の部分に含まれる母趾受圧部は、点々状のエンボス加工処理が施されているため、踏み返し部分及び母趾受圧部に対して地面との滑りを抑えることができる。
【０００９】
また、請求項２に記載の発明は、請求項１に記載の靴底において、前記踏み返し部分の前端は、この外側端が内側端よりも前記足の爪先側に位置するように斜めに傾斜した略直線状に形成され、一方、前記前端と間隔を離して対向する前記踏み返し部分の後端は、この外側端と内側端との間が前記踏み返し部分の前記前端側に向かって凹状にくぼんだ弓形曲線状に形成されていることを特徴とする靴底である。
【００１０】
上記目的を達成するために、請求項３に記載の発明は、
履物側となる裏面が平坦に形成され、且つ、接地側となる表面の爪先側の部分（１５）における踏み返し部分（１３）と母趾受圧部（１７）とをエンボス加工処理を施して連接して形成された靴底を具備した履物であって、
前記踏み返し部分（１３）は、
中足趾節関節部分（Ｆａ）の足の内側端部からその中足趾節関節部分（Ｆａ）の足の外側端部に亘って、前記中足趾節関節部分（Ｆａ）を受圧可能とするような厚い帯状領域で形成し、且つ、該帯状領域のうちで前記足の外側端部の幅が前記足の内側端部の幅よりも第５中足骨側の部分を踵側に幅広く形成し、
前記爪先側の部分（１５）に含まれる前記母趾受圧部（１７）は、
前記爪先側の部分（１５）の中央付近の点と該爪先側の部分（１５）の中央付近の点に略下方に対向する当該爪先側の部分（１５）の足の内側の第１の内側端点とを結ぶ第１の前辺と、
前記爪先側の部分（１５）の中央付近の点から前記踏み返し部分（１３）である前記帯状領域の前辺である第２の前辺の中央付近の点を通る直線上の前記爪先側の部分（１５）の中央付近の点と前記帯状領域の前記第２の前辺の中央付近の点とを結ぶ辺である第１の縦辺と、
前記第２の前辺の中央付近の点と該第２の前辺の当該爪先側の部分（１５）の足の内側の第２の内側端点との間の辺である第３の前辺と、
前記直線上の前記爪先側の部分（１５）の中央付近の点に前記略下方に対向する当該爪先側の部分（１５）の足の内側の前記第１の内側端点と前記第３の前辺の足の内側の前記第２の内側端点とを結ぶ当該爪先側の部分（１５）の足の内側の辺の一部である第２の縦辺と
で形成されて、
前記踏み返し部分（１３）に連接された四角領域であり、該四角領域には点々状の前記エンボス加工処理が施され、
さらに、前記爪先側の部分（１５）は、爪先側に向って前記踏み返し部分よりも厚みが徐々に薄くなるように形成されていることを特徴とする履物である。
【００１１】
また、請求項４に記載の発明は、請求項３に記載の履物において、前記踏み返し部分の前端は、この外側端が内側端よりも前記足の爪先側に位置するように斜めに傾斜した略直線状に形成され、一方、前記前端と間隔を離して対向する前記踏み返し部分の後端は、この外側端と内側端との間が前記踏み返し部分の前記前端側に向かって凹状にくぼんだ弓形曲線状に形成されていることを特徴とする履物である。
【００１２】
上記目的を達成するために、請求項５に記載の発明は、
既製の履物の靴底に後つけ可能なバッドであって、
前記パッドは、履物側となる裏面が平坦に形成され、且つ、接地側となる表面の爪先側の部分（１５）における踏み返し部分（１３）と母趾受圧部（１７）とをエンボス加工処理を施して連接して形成され、
前記踏み返し部分（１３）は、
中足趾節関節部分（Ｆａ）の足の内側端部からその中足趾節関節部分（Ｆａ）の足の外側端部に亘って、前記中足趾節関節部分（Ｆａ）を受圧可能とするような厚い帯状領域で形成し、且つ、該帯状領域のうちで前記足の外側端部の幅が前記足の内側端部の幅よりも第５中足骨側の部分を踵側に幅広く形成し、
前記爪先側の部分（１５）に含まれる前記母趾受圧部（１７）は、
前記爪先側の部分（１５）の中央付近の点と該爪先側の部分（１５）の中央付近の点に略下方に対向する当該爪先側の部分（１５）の足の内側の第１の内側端点とを結ぶ第１の前辺と、
前記爪先側の部分（１５）の中央付近の点から前記踏み返し部分（１３）である前記帯状領域の前辺である第２の前辺の中央付近の点を通る直線上の前記爪先側の部分（１５）の中央付近の点と前記帯状領域の前記第２の前辺の中央付近の点とを結ぶ辺である第１の縦辺と、
前記第２の前辺の中央付近の点と該第２の前辺の当該爪先側の部分（１５）の足の内側の第２の内側端点との間の辺である第３の前辺と、
前記直線上の前記爪先側の部分（１５）の中央付近の点に前記略下方に対向する当該爪先側の部分（１５）の足の内側の前記第１の内側端点と前記第３の前辺の足の内側の前記第２の内側端点とを結ぶ当該爪先側の部分（１５）の足の内側の辺の一部である第２の縦辺と
で形成されて、
前記踏み返し部分（１３）に連接された四角領域であり、該四角領域には点々状の前記エンボス加工処理が施され、
さらに、前記爪先側の部分（１５）は、爪先側に向って前記踏み返し部分よりも厚みが徐々に薄くなるように形成されていることを特徴とするパッドである。
【００１３】
また、請求項６に記載の発明は、請求項５に記載のパッドにおいて、前記踏み返し部分の前端は、この外側端が内側端よりも前記足の爪先側に位置するように斜めに傾斜した略直線状に形成され、一方、前記前端と間隔を離して対向する前記踏み返し部分の後端は、この外側端と内側端との間が前記踏み返し部分の前記前端側に向かって凹状にくぼんだ弓形曲線状に形成されていることを特徴とするパッドである。
【発明の効果】
【００１６】
請求項１，２に記載の靴底及び請求項３，４に記載の履物によれば、前記靴底の前記踏み返し部分の剛性を高めつつ、前記靴底の転がり性及び歩行運動エネルギー効率を高めることができるため、外反母趾、関節リウマチ等の変形疾患を有する人であっても、足の中足趾節関節の背屈角度を小さくして、歩行に伴う疼痛を低減しつつ、スムーズな歩行を確保することができる。
【００１７】
また、請求項１，２に記載の靴底及び請求項３，４に記載の履物によれば、踏み返し部分及び爪先側の部分に含まれる母趾受圧部に対して地面との滑りを抑えることができるため、歩行推進力の伝達効率を高めて、よりスムーズな歩行を十分に確保することができる。
【００１８】
また、請求項５，６に記載のパッドによれば、前記パッドの前記踏み返し部分の剛性を高めつつ、前記靴底の転がり性及び歩行運動エネルギー効率を高めることができるため、外反母趾、関節リウマチ等の変形疾患を有する人であっても、足の中足趾節関節の背屈角度を小さくして、歩行に伴う疼痛を低減しつつ、スムーズな歩行を確保することができる。
【発明を実施するための最良の形態】
【００２０】
（第１実施形態）
本発明の第１実施形態について図１から図４を参照して説明する。
【００２１】
ここで、図１（ａ）は、図１（ｂ）を左から見た図、図１（ｂ）は、第１実施形態に係る靴底の平面図、図１（ａ）は、図１（ｂ）を右から見た図、図２は、第１実施形態に係る婦人用パンプス靴を下から見た斜視図、図３は、歩行サイクル中の立脚期における足の接地状態を示す図、図４は、歩行サイクル中の立脚期における足の荷重中心点軌跡を示す図である。
【００２２】
まず、第１実施形態に係る婦人用パンプス靴及び靴底について説明する前に、人の歩行サイクル、及び歩行サイクル中の立脚期における足の荷重中心点軌跡について説明する。
【００２３】
人の歩行サイクルは、立脚期と遊脚期とに大別され、立脚期と遊脚期とを交互に繰り返すことによって歩行が行われる。また、図３に示すように、立脚期は、踵接地と、足底接地と、踵離地と、足指離地と、爪先離地とに小別される。そして、歩行サイクル中の立脚期において、踵離地から足指離地にかけて、足Ｆの中足趾節関節Ｆａの背屈角度が大きくなる。
【００２４】
図４に示すように、歩行速度が遅いと、歩行サイクル中の立脚期における足Ｆの荷重中心点軌跡は、踵部Ｆｂから足外側部Ｆｃ上を足裏縦方向（図４において上下方向）に延び、続いて足外側部Ｆｃから中足趾節関節Ｆａ上を足裏横方向（図４において左右方向）に沿って延びてあって、最後に中足趾節関節Ｆａから母趾部Ｆｄの先端に向かって延びている。また、歩行速度がかなり速くなると、歩行サイクル中の立脚期における足Ｆの荷重中心点軌跡は、踵部Ｆｂから母趾部Ｆｄの先端に向かって延びている。即ち、歩行速度が速くなって、歩行運動エネルギー効率が高くなると、歩行サイクル中の立脚期における足Ｆの荷重中心点軌跡の軌跡長が短くなる。
【００２５】
図２に示すように、第１実施形態に係る婦人用パンプス１は、履物の一例であって、甲皮３を具備しており、この甲皮３は、牛革等からなるものである。また、甲皮３の周縁部には、中底５が接合されている。更に、中底５の裏面（下面）の後部（図２において右部）には、ヒール７が設けられており、このヒール７の先端には、ヒールトップ９が設けられている。
【００２６】
中底の裏面からヒール７の前部（図２において左部）にかけて、靴底１１が設けられており、この靴底１１例えばゴム，ＥＡＶ，プラスチック等の材料からなるものである。そして、婦人用パンプス１に用いられる靴底１１の具体的な構成は、次のようになる。
【００２７】
即ち、図１（ａ）（ｂ）（ｃ）に示すように、靴底１１の踏み返し部分１３は、足Ｆの中足趾節関節Ｆａを受圧可能であって、靴底横方向（図１（ａ）（ｃ）において紙面に向かって表裏方向、図１（ｂ）において左右方向）に亘って下向き（図１（ａ）において左向き、図１（ｂ）において紙面に向かって表向き、図１（ｃ）において右向き）に亘って凸弧状に形成されている。なお、靴底１１の踏み返し部分１３が靴底横方向に亘って凸弧状に形成される代わりに、凸弧状以外の凸状に形成されるようにしても構わない。
【００２８】
また、靴底１１の踏み返し部分１３よりも爪先側の部分１５は、靴底母趾方向に沿って徐々に薄くなるように形成されている。なお、爪先側の部分１５には、足Ｆの母趾部Ｆｄを受圧可能な母趾受圧部１７も含まれており、靴底母趾方向とは、踏み返し部分１３の外端から母趾受圧部１７の先端に向かう方向のことをいう。
【００２９】
更に、踏み返し部分１３及び母趾受圧部１７には、エンボス加工によって滑り止め処理が施されている。なお、エンボス加工によって滑り止め処理を施す代わりに、踏み返し部分１３及び母趾受圧部１７に滑り止め素材を用いて滑り止め処理を施しても構わない。
【００３０】
次に、第１実施形態の作用及び効果について説明する。
【００３１】
靴底１１の踏み返し部分１３が靴底横方向に亘って下向きに凸状に形成されているため、靴底１１の踏み返し部分１３の剛性を高めつつ、トゥスプリングを設定して、靴底１１の転がり性を高めることができる。
【００３２】
また、靴底１１における踏み返し部分１３よりも爪先側の部分１５が靴底母趾方向に沿って徐々に薄くなるように形成されているため、図４に示すように、歩行サイクル中の立脚期における足Ｆの荷重中心点軌跡は、踵部Ｆｂから足外側部Ｆｃ上を足裏縦方向に延び、続いて足外側部Ｆｃから母趾部Ｆｄの先端に向かって延びるようになる。これにより、歩行サイクル中の立脚期における荷重中心点軌跡の軌跡長を短くして、歩行運動エネルギー効率を高めることができる。
【００３３】
更に、靴底１１の踏み返し部分１３及び母趾受圧部１７に滑り止め処理が施されているため、靴底１１の踏み返し部分１３及び母趾受圧部１７と地面との滑りを抑えることができる。
【００３４】
従って、第１実施形態によれば、靴底１１の踏み返し部分１３の剛性を高めつつ、靴底１１の転がり性及び歩行運動エネルギー効率を高めることができるため、外反母趾、関節リウマチ等の変形疾患を有する人であっても、足Ｆの中足趾節関節Ｆａの背屈角度を小さくして、歩行に伴う疼痛を低減しつつ、スムーズな歩行を確保することができる。特に、靴底１１の踏み返し部分１３及び母趾受圧部１７と地面との滑りを抑えることができるため、歩行推進力の伝達効率を高めて、よりスムーズな歩行を十分に確保することができる。
【００３５】
（第２実施形態）
本発明の第２実施形態について図４、図５、及び図６を参照して説明する。
【００３６】
ここで、図５（ａ）は、図５（ｂ）を左から見た図、図５（ｂ）は、第２実施形態に係るパッドの平面図、図５（ａ）は、図５（ｂ）を右から見た図、図６は、第２実施形態に係るパッドが既製の婦人用パンプス靴における靴底の踏み返し部分に後付けされた状態を示す斜視図である。
【００３７】
図６に示すように、第２実施形態に係るパッド１９は、既製の婦人用パンプス２１における靴底２３に後付け可能であって、このパッド１９は、例えばゴム，ＥＡＶ等の材料からなるものである。そして、パッド１９の具体的な構成は、次のようになる。
【００３８】
即ち、図５（ａ）（ｂ）（ｃ）に示すように、パッド１９の踏み返し部分２５は、足Ｆの中足趾節関節Ｆａを受圧可能であって、パッド横方向（図５（ａ）（ｃ）において紙面に向かって表裏方向、図５（ｂ）において左右方向）に亘って下向き（図５（ａ）において左向き、図５（ｂ）において紙面に向かって表向き、図５（ｃ）において右向き）に亘って凸弧状に形成されている。なお、パッド１９の踏み返し部分２５がパッド横方向に亘って凸弧状に形成される代わりに、凸弧状以外の凸状に形成されるようにしても構わない。
【００３９】
また、パッド１９の踏み返し部分２５よりも爪先側の部分２７は、パッド母趾方向に沿って徐々に薄くなるように形成されている。なお、パッド１９の爪先側の部分２７には、足Ｆの母趾部Ｆｄを受圧可能な母趾受圧部２９も含まれており、パッド母趾方向とは、踏み返し部分２５の外端から母趾受圧部２９の先端に向かう方向のことをいう。
【００４０】
更に、パッド１９の踏み返し部分２５及び母趾受圧部２９には、エンボス加工によって滑り止め処理が施されている。なお、エンボス加工によって滑り止め処理を施す代わりに、パッド１９の踏み返し部分２５及び母趾受圧部２９に滑り止め素材を用いて滑り止め処理を施しても構わない。
【００４１】
次に、第２実施形態の作用及び効果について説明する。
【００４２】
パッド１９の踏み返し部分２５がパッド横方向に亘って下向きに凸状に形成されているため、パッド１９の踏み返し部分の剛性を高めつつ、トゥスプリングを設定して、パッド１９の転がり性、換言すれば、靴底２３の転がり性を高めることができる。
【００４３】
また、パッド１９における踏み返し部分２５よりも爪先側の部分２７がパッド母趾方向に沿って徐々に薄くなるように形成されているため、歩行サイクル中の立脚期における荷重中心点軌跡は、図３に示すように、踵部Ｆｂから足外側部Ｆｃ上を足裏縦方向に延び、続いて足外側部Ｆｃから母趾部Ｆｄの先端に向かって延びるようになる。これにより、歩行サイクル中の立脚期における荷重中心点軌跡の軌跡長を短くして、歩行運動エネルギー効率を高めることができる。
【００４４】
更に、パッド１９の踏み返し部分２５及び母趾受圧部２９に滑り止め処理が施されているため、パッド１９の踏み返し部分２５及び母趾受圧部２９と地面との滑りを抑えることができる。
【００４５】
従って、第２実施形態によれば、パッド１９の踏み返し部分２５の剛性を高めつつ、靴底２３の転がり性及び歩行運動エネルギー効率を高めることができるため、外反母趾、関節リウマチ等の変形疾患を有する人であっても、足Ｆの中足趾節関節Ｆａの背屈角度を小さくして、歩行に伴う疼痛を低減しつつ、スムーズな歩行を確保することができる。特に、パッド１９の踏み返し部分２５及び母趾受圧部２９と地面との滑りを抑えることができるため、歩行推進力の伝達効率を高めて、よりスムーズな歩行を十分に確保することができる。
【００４６】
なお、本発明は、前述の実施形態の説明に限られるものではなく、その他、種々の態様で実施可能である。また、本発明に包含される権利範囲は、これらの実施形態に限定されないものである。
【図面の簡単な説明】
【００４７】
【図１】図１（ａ）は、図１（ｂ）を左から見た図、図１（ｂ）は、第１実施形態に係る靴底の平面図、図１（ａ）は、図１（ｂ）を右から見た図である。
【図２】第１実施形態に係る婦人用パンプス靴を下から見た斜視図である。
【図３】歩行サイクル中の立脚期における足の接地状態を示す図である。
【図４】歩行サイクル中の立脚期における足の荷重中心点軌跡を示す図である。
【図５】図５（ａ）は、図５（ｂ）を左から見た図、図５（ｂ）は、第２実施形態に係るパッドの平面図、図５（ａ）は、図５（ｂ）を右から見た図である。
【図６】第２実施形態に係るパッドが既製の婦人用パンプス靴における靴底の踏み返し部分に後付けされた状態を示す斜視図である。
【符号の説明】
【００４８】
１            婦人用パンプス
１１            靴底
１３            踏み返し部分
１５            爪先側の部分
１７            母趾受圧部
１９            パッド
２１            婦人用パンプス
２３            靴底
２５            踏み返し部分
２７            爪先側の部分
２９            母趾受圧部
【図１】
0005013761.tif 000002
【図２】
0005013761.tif 000003
【図３】
0005013761.tif 000004
【図４】
0005013761.tif 000005
【図５】
0005013761.tif 000006
【図６】
0005013761.tif 000007